(57)【要約】【課題】  操作性・動作の信頼性が高く、かつサイズダウン・コストダウン及び、設置時・使用時に必要な空間の削減を実現する読取記録装置を提供すること。【解決手段】  記録紙搬送手段、記録手段、記録カートリッジ、原稿搬送手段、読取手段、読取手段を含むハンドスキャナ及びハンドスキャナ着脱機構を有し、ハンドスキャナ及びカートリッジを、オペレータに対して本体手前部に装着した状態で使用し、着脱時には本体手前方向に着脱可能に構成。【選択図】  図１
2006165638.tif 000002
【特許請求の範囲】
【請求項１】
記録紙搬送手段、記録手段、記録カートリッジ、原稿搬送手段、読取手段、読取手段を含むハンドスキャナ及びハンドスキャナ着脱機構を有し、ハンドスキャナ及びカートリッジをオペレータに対して本体手前部に装着した状態で使用し、着脱時には本体手前方向に着脱可能に構成したことを特徴とする読取記録装置。
【請求項２】
記録紙搬送手段、記録手段、記録カートリッジ、原稿搬送手段、読取手段、読取手段を含むハンドスキャナ及びハンドスキャナ着脱機構を有し、ハンドスキャナ及びカートリッジをオペレータに対して本体手前部に装着した状態で使用し、着脱時には本体手前方向に着脱可能に構成し、かつ操作部を本体上方に配置したことを特徴とする読取記録装置。
【請求項３】
記録紙搬送手段、記録手段、記録カートリッジ、原稿搬送手段、読取手段、読取手段を含むハンドスキャナ及びハンドスキャナ着脱機構を有し、ハンドスキャナ及びカートリッジをオペレータに対して本体手前部に装着した状態で使用し、着脱時には本体手前方向に着脱可能に構成し、かつ操作部を本体前方に配置したことを特徴とする読取記録装置。
【請求項４】
記録紙搬送手段、記録手段、記録インクジェットカートリッジ、原稿搬送手段、読取手段、読取手段を含むハンドスキャナ及びハンドスキャナ着脱機構を有し、ハンドスキャナをオペレータに対して本体手前部に装着した状態で使用し、着脱時には本体手前方向に着脱可能に構成し、かつ記録手段をハンドスキャナの下方に配置したことを特徴とする読取記録装置。
【請求項５】
ハンドスキャナの下方に記録手段を配置したことを特徴とする請求項１乃至３に記載の読取記録装置。
【請求項６】
ハンドスキャナを外した状態にした時点でカートリッジを着脱が可能になる構成にしたことを特徴とする請求項１乃至５に記載の読取記録装置。
【請求項７】
ハンドスキャナの着脱に係らずカートリッジの着脱が可能である構成にしたことを特徴とする請求項１乃至５に記載の読取記録装置。
【請求項８】
電気基板を有し、該電気基板を記録手段下方に配置したことを特徴とする請求項１乃至７に記載の読取記録装置。
【請求項９】
電気基板を有し、前記電気基板を記録紙挿入手段下方に配置したことを特徴とする請求項１乃至７に記載の読取記録装置。
【請求項１０】
記録手段から漏れ出た記録定着媒体が飛散し、読取ユニットを汚染することを防止する部材を設けたことを特徴とする請求項１乃至９に記載の読取記録装置。
【請求項１１】
前記記録定着媒体が飛散し、読取ユニットを汚染することを前記ハンドスキャナの外装で防止する構成としたことを特徴とする請求項１乃至９に記載の読取記録装置。
【発明の詳細な説明】
【技術分野】
【０００１】
本発明は紙などの記録媒体に対する記録機能、および記録された媒体から画像情報を読み取る機能を備えた読取記録装置に関する。
【背景技術】
【０００２】
ホームファクシミリなどに代表される近年の家庭用読取記録装置においては、様々な使用用途に耐えうるよう、ハンドスキャナなどの本体から外した状態で使用可能な読取装置がしばしば装備される。また、このような家庭向けの機器は設置場所が限られてしまう為、業務用の機器に比べて機器本体のサイズを小さく設計することが望まれる。
【０００３】
また、ハンドスキャナにおいては、着脱操作が容易になるようにユーザーがアクセスしやすい位置に装着し、また着脱しやすい方向に着脱することが求められる。
【０００４】
一方、記録装置においては感熱紙などの特殊な記録媒体に記録するもの以外は、記録時に普通紙などの記録媒体に転写、吐出された後、自然乾燥や定着工程において定着するトナーや熱転写シート、インクなどに代表される記録定着媒体が必要である。これら記録定着媒体は消耗品であるため、当然ながら不足すれば補給しなければならない。これらの消耗品は、補給が容易なようにカートリッジやタンクを交換することで補給できるように設計されているものが多い。これもユーザーが補給する場合でも容易に出来るよう、ハンドスキャナ同様ユーザーがアクセスしやすい位置に装着し、また着脱しやすい方向に着脱可能なことが求められる。
【０００５】
さらに、読取記録装置においてはパソコンなどの外部入出力装置を介して操作するものを除いては装置に操作部が設けられ、その操作部もユーザーから操作しやすい場所に配置されることが望まれる。
【０００６】
又、別の従来例としては、例えば特許文献１をあげることが出来る。
【特許文献１】特開2001-094731
【発明の開示】
【発明が解決しようとする課題】
【０００７】
上記理由から操作部、読取手段、及び記録手段は全てオペレータがアクセスしやすい、限られたスペースの中に収めなければならない。
【０００８】
図３は従来の読取記録装置の一例の断面図である。ハンドスキャナ２０１を着脱しやすいように本体手前側に配置し、手前側に着脱する構成されている。そしてインクカートリッジ２０２が、ハンドスキャナ２０１から離れた本体の中央部に装着され、本体後方に向かって奥側に着脱する構成になっている。すなわちカートリッジ２０２はオペレータから遠い部分に装着し、オペレータから離れる方向に着脱することになるので、着脱の操作性がよくない。逆にカートリッジ２０２の着脱を意識して配置すると、前記と同様にハンドスキャナ２０１の配置、着脱方向が操作性の良くない構成になってしまう。
【０００９】
また、記録手段２０４と読取手段２０３を互いに近くに配置すると、はね返りや漏れなどで記録手段２０４から飛散したインクやトナーが読取手段２０３に付着し、読み取り部が動作不良を起こす原因になるため、動作品質を保ったまま記録手段２０４と読取手段２０３を近傍に配置するのが困難であった。この配置の制限の為に、カートリッジ２０２、ハンドスキャナ２０１は互いに離れた位置に配置しなければならず、装置自体のサイズが大きくなる原因になっていた。
【００１０】
また、ハンドスキャナ２０１とカートリッジ２０２が互いに近くに配置しようとしても、各々の着脱時に互いに干渉しないように構成する必要があるため、前述同様近傍に配置することが困難であった。
【００１１】
また、従来複数の基板で構成されていた電気基板を基板の数や基板間のケーブルの量を減らして一つにまとめ、コストダウンや組立作業性の向上を図ろうとした場合、基板の数や総面積自体は減少させられるが、一枚あたりの基板の大きさは増えてしまうので、これを本体内に収めようとするとユニット内やユニット間の空きスペースに収めることが困難になる為、機械部品やユニットの外側の本体外装に面した部分に電気基板を配置することが余儀なくされ、装置自体のサイズや設置面積の増加の原因になっていた。
【００１２】
以上の理由から操作性が良く、コストダウンを実現した装置を開発するに当たり、上記の問題を解決しなければ装置本体のサイズ及び設置面積が大きくなることを避けるのは困難であった。
【００１３】
本発明の課題は上記の問題を解決し、操作性・動作の信頼性が高く、かつサイズダウン・コストダウン及び、設置時・使用時に必要な空間の削減を実現する読取記録装置を提供することにある。
【課題を解決するための手段】
【００１４】
上記課題を解決する為に、読取記録装置において、本発明請求項１によれば、記録紙搬送手段、記録手段、記録カートリッジ、原稿搬送手段、読取手段、読取手段を含むハンドスキャナ及びハンドスキャナ着脱機構を有し、ハンドスキャナ及びカートリッジをオペレータに対して本体手前部に装着した状態で使用し、着脱時には本体手前方向に着脱可能に構成したことを特徴としている。
【００１５】
また、本発明請求項２によれば記録紙搬送手段、記録手段、記録カートリッジ、原稿搬送手段、読取手段、読取手段を含むハンドスキャナ及びハンドスキャナ着脱機構を有し、ハンドスキャナ及びカートリッジをオペレータに対して本体手前部に装着した状態で使用し、着脱時には本体手前方向に着脱可能に構成し、かつ操作部を本体上方に配置したことを特徴としている。
【００１６】
また、本発明請求項３によれば記録紙搬送手段、記録手段、記録カートリッジ、原稿搬送手段、読取手段、読取手段を含むハンドスキャナ及びハンドスキャナ着脱機構を有し、ハンドスキャナ及びカートリッジをオペレータに対して本体手前部に装着した状態で使用し、着脱時には本体手前方向に着脱可能に構成し、かつ操作部を本体前方に配置したことを特徴としている。
【００１７】
また、本発明請求項４によれば記録紙搬送手段、記録手段、記録カートリッジ、原稿搬送手段、読取手段、読取手段を含むハンドスキャナ及びハンドスキャナ着脱機構を有し、ハンドスキャナをオペレータに対して本体手前部に装着した状態で使用し、着脱時には本体手前方向に着脱可能に構成し、かつ記録部手段をハンドスキャナの下方に配置したことを特徴としている。
【００１８】
また、本発明請求項５によれば、上記請求項１乃至３において、記録カートリッジの上方にハンドスキャナを配置したことを特徴としている。
【００１９】
また、本発明請求項６によれば、上記請求項１乃至５において、ハンドスキャナを外した状態にした時点でカートリッジを着脱が可能になる構成にしたことを特徴としている。
【００２０】
また、本発明請求項７によれば、上記請求項１乃至５において、ハンドスキャナの着脱に係らずカートリッジの着脱が可能である構成にしたことを特徴としている。
【００２１】
また、本発明請求項８によれば、上記請求項１乃至７において、電気基板を有し、該電気基板を記録手段下方に配置したことを特徴としている。
【００２２】
また、本発明請求項９によれば、上記請求項１乃至７において、電気基板を有し、前記電気基板を記録紙挿入手段下方に配置したことを特徴としている。
【００２３】
また、本発明請求項１０によれば、上記請求項１乃至９において、記録手段から漏れ出た記録定着媒体が飛散し、読取手段を汚染することを防止する部材を設けたことを特徴としている。
【００２４】
また、本発明請求項１１によれば、上記請求項１乃至９において、前記記録定着媒体が飛散し、読取手段を汚染することを前記ハンドスキャナの外装で防止する構成としたことを特徴としている。
【発明の効果】
【００２５】
以上説明したように、本発明請求項１によれば、ハンドスキャナ・カートリッジの着脱操作性が高く、かつサイズアップを押さえた読取記録装置を提供することが可能となる。
【００２６】
また、本発明請求項2および3によれば、キー操作性、ハンドスキャナ・カートリッジの着脱操作性が高く、かつサイズアップを押さえた読取記録装置を提供することが可能となる。
【００２７】
また、本発明請求項４及び5によれば、動作の信頼性が高く、またハンドスキャナ・カートリッジの着脱操作性も良く、かつサイズアップを押さえた読取記録装置を提供することが可能となる。
【００２８】
また、本発明請求項6によれば、請求項１乃至5の効果に加えて、さらにサイズアップを押さえた読取記録装置を提供することが可能となる。
【００２９】
また、本発明請求項７によれば、請求項１乃至5の効果に加えて、さらにハンドスキャナ・カートリッジの着脱操作性の良い読取記録装置を提供することが可能となる。
【００３０】
また、本発明請求項8によれば、請求項１乃至７の効果に加えて、コスト及び、設置時に必要な空間の増加を押さえた読取記録装置を提供することが可能になる。
【００３１】
また、本発明請求項９によれば、請求項１乃至７の効果に加えて、コスト及び、使用時に必要な空間の増加を押さえた読取記録装置を提供することが可能になる。
【００３２】
また、本発明請求項１０及び１１によれば、請求項１乃至９の効果に加えて、さらに読取動作の信頼性の高い読取記録装置を提供することが可能になる。
【発明を実施するための最良の形態】
【００３３】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００３４】
本発明に係る読取記録装置を含んだファクシミリ装置の一実施形態を以下に示す。図1は本実施形態を説明する斜視図である。
【００３５】
図１および図２に示したファクシミリ装置本体である本体ユニット１は、記録紙１５を１枚ずつ分離給送するＡＳＦ(Auto Sheet Feeder)部２、記録紙１５を１枚ずつ分離給送するＡＳＦ部２から搬送された記録紙１５に画像を記録する記録部３を備えている。この実施形態の一例では記録部にはインクジェット方式が採用されている為、記録定着媒体には液体のインクが使用される。インクが不足し印刷が出来なくなった場合には、インクカートリッジ３１を交換することで再び印刷が可能になる。
【００３６】
また、本体ユニット1は図１１に示すようにＡＤＦ（Auto Document Feeder）部４から搬送された原稿１３の画像を読み取る読取部５、本体ユニット１に装着時には読取部の一部を形成し、本体から外した場合には手動読取手段として機能するハンドスキャナ６を備えている。このハンドスキャナ６は、本体ユニット１に対して着脱可能で、ハンドスキャナ６を本体ユニット１に装着時は原稿１３を自動搬送して原稿画像情報を読み取り、取り外し時は手動走査により原稿画像情報を読み取るものである。
【００３７】
一方、操作部ユニット７は、前記分離ローラ４１に圧接する摩擦片４２、前記給送ローラ５１に従動して回転する給送コロ５２、排紙ローラ５３、ＣＩＳ６１上の原稿１３のばたつきを抑える白基準板５４を備えている。更に、装置本体の操作を行うためのボタン類や装置の状態を示す表示部を設けた操作パネル部５７を備えている。
【００３８】
まず記録動作の説明をする。図１において、２は装置後方に取り付けられたＡＳＦ部である。２１は支点を中心に上下回動可能な圧板であり、その上面に複数枚の記録紙１５が積載載置される。この圧板２１は初期状態では押圧バネ（不図示）の押圧力に抗して下方で保持されている。２３は記録紙幅スライダであり、記録紙１５の幅方向（搬送方向と直交する方向）の動きを規制する。２４は記録紙ピックアップローラであり、記録紙１５を１枚ずつ分離給送する。矢印17は原稿１３の搬送方向を示す。
【００３９】
３１は記録紙１５にインクを吐出し画像を記録する本体ユニット１に対して着脱可能なインクカートリッジである。３２はガイドシャフトであり、インクカートリッジ３１が記録紙１５の幅方向に往復動作する際のガイドとなる。３３は給送ローラ、３４は不図示のバネにより給送ローラ３３に圧接・従動するピンチコロである。３５は拍車、３６は拍車に圧接・従動する排出ローラである。尚、ここで拍車とは、記録紙１５との接触面積が小さく、記録後の記録紙面に接触しても該記録紙１５の記録像を乱すことがないように構成したものである。
【００４０】
記録を開始する信号が送られると、不図示の記録紙搬送モータが回転し圧板２１の保持状態を解除し、積載されている記録紙先端を上方へ持ち上げると共に、ピックアップローラ２４を時計回り方向に回転させる。圧板２１に積載された記録紙１５の上層部はピックアップローラ２４に接し搬送され、最上部の記録紙が１枚ずつ分離されて、記録部へと搬送される。この記録紙１５を給送ローラ３３とピンチコロ３４のニップ部で挟持しインクカートリッジ３１の下の印字位置まで記録紙先端を搬送して一旦停止する。そして、この時圧板２１は初期状態で保持され待機状態となる。
【００４１】
次に、インクカートリッジ３１を不図示のモータで駆動し記録紙１５の幅方向に１往復させて、印字位置まで搬送された記録紙１５にインクを吐出させて画像を記録する。インクカートリッジ３１には記録紙搬送方向に数ライン分のインク吐出ノズルが設けられてあり、インクカートリッジ３１の１往復で数ライン分の画像を記録することができる。インクカートリッジ３１が１往復分動作終了すると、記録紙搬送モータを回転させ記録紙１５をインクカートリッジ３１の１往復で記録したライン数分搬送し、次の画像データを新たに記録する。以下、インクカートリッジ３１の往復動作と記録紙１５の搬送動作を順次繰り返して記録紙１５に画像を記録する。そして、記録紙１ページ分の記録動作が終了すると、該記録紙１５を装置本体外に排出し一連の動作を終了する。次ページの画像データがあれば、上記の一連の動作を繰り返し、同様に記録を行う。
【００４２】
次に、記録動作中に記録紙がジャムを起こした場合の記録紙解除動作について説明する。記録動作中に記録紙が記録紙搬送路内で通紙不良を起こしたり、オペレータが途中で記録動作を停止させるボタンを押下したりした場合、記録紙は搬送路内で停止する。
【００４３】
これを取り除くには記録紙解除レバー(不図示)を「原稿解除」に合わせ、原稿の挟持を解除し、本体手前に出ている記録紙を引き出す。原稿が本体外側まで出ていない場合は図１０に示すように本体前面のカバーを開いた後、前記同様記録部から出ている記録紙を引き出す。本例では記録部が本体前面に配置されているので、記録部からわずかでも記録紙が出ていればオペレータは記録紙を手前に引き出すことが出来る。記録部から手前側に出ていない場合は、ＡＳＦ部から、記録紙搬送方向とは逆方向に記録紙を引き出す。
【００４４】
次に読取動作の説明をする。図１において、矢印１８は原稿１３の搬送方向を示す。１４は原稿１３をセットするための開口部（原稿挿入口）、４５はセットされた原稿１３の幅方向を規制する原稿スライダである。開口部には原稿の有無を検知するセンサ（不図示）が設けられている。４１は本体ユニット１に設けられた分離ローラ、４２は回動可能に設けられた摩擦片で、該摩擦片４２を反時計回り方向に付勢するバネ４３で、分離ローラ４１に摩擦片４２が圧接するよう構成されている。
【００４５】
給送ローラ５１は本体ユニット１に設けられ、この給送ローラ５１に対向する給送コロ５２が板バネで給送ローラ５１に圧接するように操作部ユニット７に設けられている。また給送ローラ５１の原稿搬送方向下流側のハンドスキャナ６には原稿１３の画像情報をセンサ部が直接接触して読み取る読取センサとしてのコンタクトイメージセンサ（ＣＩＳ）６１が設けられている。また操作部ユニット７においてＣＩＳ６１に対向する位置に設けられた白基準板５４がＣＩＳ６１と接するように設けられており、このＣＩＳ６１が原稿１３を読み取る前にこの白基準板５４の白基準を読み取ることで、読取信号の出力レベルの補正を行う。また原稿読取中は白基準板５４が自重で原稿１３を上方（裏側）からＣＩＳ６１の方に押圧し、原稿１３のばたつきを防止するように構成されている。
【００４６】
ＣＩＳ６１の原稿搬送方向下流側には、本体ユニット１に設けられた排出ローラ５３と、ハンドスキャナ６内に設けられ排出ローラ５３に従動する排出コロ６２とが、対を成して配置されている。ハンドスキャナ６はバネ６４により、本体ユニット１から上側（白基準板の方向）に押し上げられるため、ハンドスキャナ６内に保持されている排出コロ６２は、本体ユニット１に回転可能に固定されている排出ローラ５３と圧接されている。また、本体ユニット１にはハンドスキャナ６の本体ユニット１への着脱状態を検知するためのセンサ（不図示）が設けられている。
【００４７】
以上の構成のＡＤＦ部（Auto Document Feeder）において、原稿１３が開口部１４にセットされると、センサ（不図示）により原稿１３のセット完了が検知される。これに続き、オペレータが操作パネル部５７に設けられた操作ボタンの内、読み取りを開始させるボタンを押下すると、読取モータ５５が回転駆動され、分離ローラ４１が反時計回り方向に駆動される。この結果、原稿１３は反時計回り方向に回転する分離ローラ４１と圧接する摩擦片４２によって捌かれつつ下流方向に搬送されて、最下層の１枚のみが分離されて読取部５へ搬送される。このようにしてＡＤＦ部４で分離された原稿１３は、給送ローラ５１と給送コロ５２のニップ部に導かれ、挟持されて搬送される。
【００４８】
給送ローラ５１付近に設けられた不図示のセンサにより、原稿先端を検知すると、読取モータは所定のステップ数回転したのち停止し、原稿１３をＣＩＳ６１手前の所定の位置で停止させる。
【００４９】
その後、ＣＩＳ６１が白基準板５４のシェーディングデータを読み取り、読取信号の出力レベルの補正を行う。そして、再度読取モータを回転させ、原稿１３を所定ステップ数搬送し、ＣＩＳ６１の読取ラインに到達させた後、原稿１３の下面を１ラインずつ順次読み取る。読み取りを終えた原稿１３は、排出ローラ５３と排出コロ６２とのニップ部に導かれて挟持搬送され、装置前面に設けられた開口部（原稿排出口）から機外へ排出される。原稿１３が複数枚セットされている時は、センサが原稿なしを検知するまで読取モータを回転させて、ＡＤＦ部で原稿を１枚ずつ分離・搬送し、順次ＣＩＳ６１で画像データを読み取る動作を繰り返す。
【００５０】
次に、読み取り動作中に原稿がジャムを起こした場合の原稿解除動作について説明する。読み取り動作中に原稿１３が原稿搬送路内で通紙不良を起こしたり、オペレータが途中で読み取り動作を停止させるボタンを押下したりした場合、原稿は搬送路内で停止する。
【００５１】
これを取り除く場合には、図９に示すようにまず本体ユニット１に対して回動自在に設けられた操作部ユニット７を開放し、原稿搬送部をオペレータ側に広げる。分離ローラ４１、給送ローラ５１及び排紙コロ６２は本体ユニット側に、それぞれに圧接している摩擦片４２、給紙コロ６２、排紙ローラは操作部ユニット７に設けられているため、対になって圧接し、原稿１３を狭持していたこれらの要素は離れて原稿１３を解放する。この動作において、搬送路を構成している部材や、原稿１３を狭持している排紙ローラ５３と排紙コロ６２、給送ローラ５１給紙コロ６２、分離ローラ４１と摩擦片４２は単に離れる動作をするだけであるため、原稿１３を引っ張ったり、傷つけたりすることはない。この動作によって原稿１３を狭持していた要素は全て原稿１３を開放し、原稿搬送路はオペレータ側に向かって全て開くため、オペレータは詰まった原稿１３を傷つけることなく手前側から容易に取り除くことが出来る。
【００５２】
また、原稿が停止した位置によっては別の方法でも解除できる。図１０に示すように、原稿が排紙ローラと排紙コロのニップ部のみによって挟持された状態で停止した場合は、ハンドスキャナを下方に押して搖動させることによって、排紙コロと排紙ローラのニップ部を解除しジャムの解除を行うことが可能になっている。この場合も前記同様、原稿を傷つけることなく手前から容易に取り除くことが出来る。
【００５３】
ところで、本例ではインクジェット方式の記録手段を採用しているが、インクジェット方式の記録手段ではインクを記録媒体に吹き付けるという記録方式である為、記録媒体に付着できずに飛散したインクが、そのまま装置内を漂い、やがて重力で下に落ちていくことが考えられる。同様にレーザービーム方式や他の記録方式においても、インクやトナーなどの記録定着媒体が機内に飛散する可能性が考えられる。
【００５４】
本例のおいては図１のように記録手段とハンドスキャナ６の位置関係が「記録手段が下、ハンドスキャナが上」という形になっているので、すなわち、ハンドスキャナ６及びシェーディングデータを読み取る為にハンドスキャナ６に接触している白基準板金は記録手段の上方にあるので、前述のように記録定着媒体が飛散した場合でも、飛散した記録定着媒体が重力で下に落ちたときに、これら白基準板５４やハンドスキャナ６のＣＩＳ部に付着し、読み取り部が読取不良を起こす原因となる可能性が少ない。このため、読取動作の信頼性を保つことが出来る。
【００５５】
次に操作部の配置について図５、図６を用いて説明する。図５、図６はいずれも本発明に係る読取記録装置を含むファクシミリ装置の一例である。
【００５６】
図５において、操作部は前方に面して配置してあり、正面からキー操作が容易になるような構成になっている。また、図６において操作部は天頂方向に面して配置してあり、上方からのキー操作が容易になるような構成になっている。さらに図１及び図１１においては前方及び天頂方向双方に面して配置してあり、正面及び上方いずれからでもキー操作が容易になるような構成になっている。
【００５７】
通常使用状態では、オペレータは装置に対して正面方向~上方の間の方向から操作するので、前述のような構成にすることによって上方もしくは前方、またはその両方から自然な姿勢で操作でき、操作性を向上させることが出来る。
【００５８】
次に、操作部の操作について図７を用いて説明する。操作ボタン群６０１はキートップ６０２と、スイッチの接点として機能するとともにボタンの操作感を与える作用を持つゴムキー６０３、ゴムキー６０３のカーボン印刷部と接触／非接触状態でキーのＯＮ／ＯＦＦを切り換える回路基板６０４からなる。オペレータがキートップ６０２を押下したとき、その力がある一定以上のであればキートップ６０２を支えているゴムキー６０３のスカート部が座屈を起こし、カーボン印刷部が回路基板６０４に接触する。カーボン印刷部が回路基板６０４上の接点に接触したときだけ回路がショートする仕組みになっているので、一定以上の力を加えたときにキーがＯＮになる構成になっている。
【００５９】
また操作部１０には、外部から入力した内容やこれから記録部から出力する内容などを表示する表示部(不図示)が装備されている。
【００６０】
次に、カートリッジの着脱交換動作及び、ハンドスキャナとカートリッジとの着脱の関係について説明する。
【００６１】
図１において、ハンドスキャナ６は本体に対して矢印１９の方向に着脱可能となっている。本体には、ハンドスキャナ６を本体に装着したときに位置決め固定するための固定用のボス(不図示)がある。ハンドスキャナ６はハンドスキャナホルダ６３によって下方から押圧されており、ハンドスキャナ６の溝(不図示)にボスが入ると位置決め固定される。
【００６２】
ハンドスキャナ６を取り外す時にはハンドスキャナ６の取っ手の部分を押し下げることによって位置決めと固定を解除し、を手前に引き出す。尚、ハンドスキャナホルダ６３はその下に装着されているバネ６４によって上向きの押圧力を得ている。
【００６３】
また、図１において、インクカートリッジ３１及びハンドスキャナ６は、オペレータ側から見て本体手前部に装着した状態で使用し、本体手前側に着脱する構成となっている。カートリッジ３１を交換する場合は、まず図８のように本体前面に設けられたカバー３８を開け、不図示のカートリッジ固定レバーを解除し、カートリッジ３１の固定を解除する。次にカートリッジ３１を取り外し、新しいカートリッジを逆の順序で装着する。ハンドスキャナ６の着脱状態に係らず、カートリッジ３１は着脱することが可能になっている。また、本体前面のカバー３８、カートリッジ固定レバー、カートリッジ３１の着脱状態に係らず、ハンドスキャナ６を着脱することが可能になっている。
【００６４】
カートリッジ３１、ハンドスキャナ６を図１のように構成することによって、オペレータは両要素の着脱もしくは交換を容易に行うことができる。
【００６５】
また、図１１において、カートリッジ１３１を交換する場合は、図１２に示すように、まずハンドスキャナ１０６を取り外し、不図示のカートリッジ固定レバーを解除しカートリッジ１３１の固定を解除する。次にカートリッジ１３１を取り外し、新しいカートリッジを逆の順序で装着する。ハンドスキャナ１０６を取り外してからカートリッジ１３１を取り外す構成になっており、カートリッジ１３１はハンドスキャナ１０６が装着されていたスペースを着脱経路として使っている。ハンドスキャナとカートリッジ１３１の装着位置及び着脱方向は図１における構成と同じである。また図１の例と同様、カートリッジ固定レバー、カートリッジ１３１の着脱状態に係らず、ハンドスキャナ１０６を着脱することが可能になっている。
【００６６】
何らかの理由によりハンドスキャナ１０６のサイズを大きくする必要がある場合や、カートリッジ１３１の取り外し方向の関係で、カートリッジ１３１着脱経路の為に大きいスペースが必要な場合、カートリッジ１３１の着脱時にハンドスキャナ１０６とカートリッジ１３１が干渉しやすくなってしまうなどの問題が起こることが考えられる。しかし、前述のような構成することによって、ハンドスキャナ１０６が装着されているスペースをカートリッジ１３１の着脱経路として使用することが出来るので、カートリッジ１３１着脱時のハンドスキャナ１０６とカートリッジ１３１の干渉を回避する為にスペースを作る必要がなくなる為、ハンドスキャナ１０６及びカートリッジ１３１のレイアウトに自由度ができ、サイズを大きくすること無く装置内に収めることが可能になる。
【００６７】
カートリッジ１３１、ハンドスキャナ１０６を図１１のように構成することによって、装置本体のサイズアップを押さえることができ、またオペレータが両要素の着脱もしくは交換を容易に行うことが出来る。
【００６８】
次に電気基板の配置について説明する。
【００６９】
図１において、記録紙１５は、重力によって記録紙挿入手段であるＡＳＦの底の部分に紙端がぶつかった状態でセットされる。このためＡＳＦ２は記録紙１５が重力によって底まで落ちるようにある程度角度を立てなければならない。また、前述のように複数の記録紙１５をセットされても一枚ずつ給紙できるようにある程度角度を寝かさなければならない。このためＡＳＦ部２は断面で見ると図１のように斜めに設定される。
【００７０】
これにより、実際の使用状態においては、例えばリビングの壁に装置の背面を接した形で設置した場合、図１に示すようにＡＳＦの直下には壁と本体の間にデッドスペース２５が出来てしまう。図１においてはこのＡＳＦ直下のデッドスペース２５に電気基板２２が配置されている。このように電気基板を配置することによって設置時の占有面積を少なくすることが出来る。
【００７１】
また、装置の設置面積を大きく取れない設置状況を考慮した設計を行う場合、設置面積をできるだけ小さくしなければならない。図１１においては電気基板１２２が記録手段下部に配置されている。このように電気基板を配置することによって両側面、背面、前面に配置する場合に比べて設置面積が小さくなるようになっている。
【００７２】
次に、前述の飛散した記録定着媒体の読取手段への汚染防止策について説明する。図１及び図１１においては前述の通り、記録手段とハンドスキャナの位置関係が「記録手段が上、ハンドスキャナが下」となっており、ある程度の高さまで飛散した後落下を始めた記録定着媒体による読取手段への汚染の可能性は少ない。
【００７３】
しかし、この対策だけでは飛散した粒子の勢いが強い、装置内の空気の流れが飛散した粒子をより遠くまで運ぶ傾向にある、などの場合、装置内のその他の構成の仕方によっては読取手段への汚染が起こる可能性が考えられる。このため、図１の装置においては、ハンドスキャナ６と記録手段の間に記録定着媒体遮蔽部材３７を設けている。この遮蔽部材３７を設けることによって記録手段からハンドスキャナ６に向かって飛散した記録定着媒体を遮断し、読取手段への汚染を防止している。また、図１１の装置においては、ハンドスキャナ１０６の外装の形状を利用して記録定着媒体を遮断し、読取手段への汚染の防止を行っている。
【００７４】
このように飛散した記録定着媒体の読取手段への汚染防止を行うことによって、前述の記録／読取の位置関係と同様、記録定着媒体が白基準板やハンドスキャナのＣＩＳ部に付着し、読み取り部が読取不良を起こす原因となる可能性が少なくなる。このため、読取動作の信頼性を保つことが出来る。
【図面の簡単な説明】
【００７５】
【図１】本発明に関わる読み取り記録装置の第一例であるファクシミリ装置の断面図。
【図２】図１のユニット指示図。
【図３】（ａ）は従来の読み取り記録装置の一例であるファクシミリ装置の断面図、（ｂ）はファクシミリのカートリッジ着脱を示す断面図。
【図４】従来の読み取り記録装置の第二例であるファクシミリ装置の断面図。
【図５】本発明に関わる読み取り記録装置の第三例であるファクシミリ装置の断面図。
【図６】本発明に関わる読み取り記録装置の第四例であるファクシミリ装置の断面図。
【図７】操作部の構造を示す断面図。
【図８】図１のファクシミリのカートリッジ着脱を示す断面図。
【図９】図１のファクシミリの原稿ジャム解除を示す断面図。
【図１０】図１のファクシミリの原稿ジャムおよび、記録紙ジャム解除を示す断面図。
【図１１】本発明に関わる読み取り記録装置の第二例であるファクシミリ装置の断面図。
【図１２】図１１のファクシミリのカートリッジ着脱を示す断面図。
【符号の説明】
【００７６】
１  本体ユニット
２  ＡＳＦ部
３  記録部
４  ＡＤＦ部
５  読取部
６  ハンドスキャナ
７  操作部ユニット
９  記録ユニット
１０  操作パネル部
１３  原稿
１５  記録紙
１７  記録紙搬送方向
１８  原稿搬送方向
１９  ハンドスキャナ着脱方向
２１  圧板
２３  記録紙幅スライダ
２４  記録紙ピックアップローラ
３１  インクカートリッジ
３２  ガイドシャフト
３３  給送ローラ
３４  ピンチコロ
３５  拍車
３６  排出ローラ
３７  記録定着媒体遮蔽部材
３８  カートリッジカバー
４１  分離ローラ
４２  摩擦片
４３  バネ
４５  原稿スライダ
５１  給送ローラ
５２  給送コロ
５３  排紙ローラ
５４  白基準板
６１  ＣＩＳ
６２  排紙コロ
６３  ハンドスキャナホルダ
６４  ハンドスキャナホルダバネ
１０６  ハンドスキャナ
１３１  カートリッジ
２０１  ハンドスキャナ
２０２  カートリッジ
２０３  読み取り部
２０４  記録部
３０１  読み取り部
３０２  記録部
４０１  操作部
４０２  読み取り部
４０３  記録部
５０１  操作部
５０２  読み取り部
５０３  記録部
【図１】
2006165638.tif 000003
【図２】
2006165638.tif 000004
【図３】
2006165638.tif 000005
【図４】
2006165638.tif 000006
【図５】
2006165638.tif 000007
【図６】
2006165638.tif 000008
【図７】
2006165638.tif 000009
【図８】
2006165638.tif 000010
【図９】
2006165638.tif 000011
【図１０】
2006165638.tif 000012
【図１１】
2006165638.tif 000013
【図１２】
2006165638.tif 000014